(57)【要約】      （修正有）【課題】組み立て玩具や環境保護建材として使用でき、使用用途と付加価値を増加した、瓶容器を提供する。【解決手段】瓶容器１は、瓶体２と、少なくとも１つの横方向ほぞ２７と、少なくとも１つの凸部２８を含み、該瓶体２の第１側面２３と第３側面２５上に該横方向ほぞ２７と少なくとも１つの横方向溝２７１が形成され、第２側面２４及び該第４側面２６上に該凸部２８と少なくとも１つの凹部２８１が形成され、該第１側面２３の横方向ほぞ２７と横方向溝２７１を別の瓶体の第３側面２５の横方向溝２７１と横方向ほぞ２７に結合でき、第２側面２４の凸部２８と凹部２８１を別の瓶体の第４側面２６の凹部２８１と凸部２８に結合できるため、複数の該瓶容器１間を相互に結合して相隣する瓶容器１を位置決めすることができる。【選択図】図１
0003217574.tif 000002
【実用新案登録請求の範囲】
【請求項１】
瓶容器であって、瓶体と、少なくとも１つの横方向ほぞと、少なくとも１つの凸部を含み、
該瓶体の上方に瓶口が形成され、該瓶体が第１側面と第２側面を備え、
該横方向ほぞが該第１側面上に形成され、かつ該横方向ほぞの側辺に横方向溝がそれぞれ形成され、
該凸部が該第２側面上に形成され、該凸部の側辺に凹部がそれぞれ形成されたことを特徴とする、瓶容器。
【請求項２】
前記瓶体がさらに第３側面を備え、該第３側面が該瓶体の該第１側面に相対する別の一側面に形成され、かつ該第３側面上に該横方向ほぞと該横方向溝が形成されたことを特徴とする、請求項１に記載の瓶容器。
【請求項３】
前記瓶体がさらに第４側面を備え、該第４側面が該瓶体の該第２側面に相対する別の一側面に形成され、かつ該第４側面上に該凸部と該凹部が形成されたことを特徴とする、請求項１に記載の瓶容器。
【請求項４】
前記瓶体の下方に収容槽が形成され、該収容槽が該瓶口を収容できることを特徴とする、請求項１に記載の瓶容器。
【請求項５】
前記第３側面の横方向ほぞが相対する該第１側面の水平の相等位置が横方向溝であり、第３側面の横方向溝が相対する該第１側面の水平の相等位置が横方向ほぞであることを特徴とする、請求項２に記載の瓶容器。
【請求項６】
前記第４側面の凸部が相対する該第２側面の水平の相等位置が凹部であり、第４側面の凹部が相対する該第１側面の水平の相等位置が凸部であることを特徴とする、請求項３に記載の瓶容器。
【請求項７】
前記第２側面及び該第４側面上に凹溝がそれぞれ形成され、該凹溝が中心位置の凸部及び凹部の間に形成されたことを特徴とする、請求項３に記載の瓶容器。
【請求項８】
前記横方向ほぞがあり接ぎであり、該横方向溝があり溝であることを特徴とする、請求項１に記載の瓶容器。
【考案の詳細な説明】
【技術分野】
【０００１】
本考案は瓶容器に関し、特に瓶容器間を相互に結合し、かつ相互に位置決め可能な瓶容器に関する。
【背景技術】
【０００２】
現今の環境保護意識が高い社会環境において、多くの物品が環境保護の概念に則した設計となっている。しかし、一般に飲料を充填する瓶容器は、現在社会におけるごみの大元となっている物品であり、瓶容器は消費者が買って飲用した後、往々にして直接捨てられたり、リサイクルされたりする。一方で瓶容器は使用上飲料を入れる機能しかなく、現在市場には瓶容器の用途を増加できる設計がない。また瓶容器の製造と生産過程には多くの複雑な工程があるが、瓶容器を使用後すぐに捨ててしまうと環境保護やリサイクルの面で問題があり、また瓶容器の空瓶の用途と付加価値を増加することもできない。
【０００３】
故に、上述の欠点と問題をいかに改善するかが本考案の考案者が解決を図る技術的問題の所在である。
【考案の概要】
【考案が解決しようとする課題】
【０００４】
これに鑑み、上述の問題を効果的に解決するため、本考案の主な目的は、瓶容器間を相互に結合し、かつ相互に位置決めできる、瓶容器を提供することにある。
【０００５】
本考案の別の主な目的は、瓶容器を組み立て玩具や環境保護建材として使用でき、瓶容器の使用用途と付加価値を増加した、瓶容器を提供することにある。
【課題を解決するための手段】
【０００６】
上述の目的を達するため、本考案の瓶容器は、瓶体と、少なくとも１つの横方向ほぞと、少なくとも１つの凸部を含み、そのうち、該瓶体の上方位置に瓶口が形成され、また該瓶体の側辺位置に順に相互に連結される第１側面と第２側面、第３側面、第４側面が形成され、該第１側面及び該第３側面上に該横方向ほぞが形成され、かつ該横方向ほぞの側辺に横方向溝がそれぞれ形成され、また該第２側面及び該第４側面上に該凸部が形成され、かつ該凸部の側辺に凹部がそれぞれ形成される。これにより、該瓶体を複数の瓶体との間で相互に結合させることができ、該第１側面の横方向ほぞと横方向溝を別の瓶体の第３側面の横方向溝と横方向ほぞに結合し、第２側面の凸部と凹部を別の瓶体の第４側面の凹部と凸部に結合して、複数の該瓶容器間を相互に結合し、相隣する瓶容器を位置決めすることができ、瓶容器の使用用途及び付加価値を増加することができる。
【図面の簡単な説明】
【０００７】
【図１】本考案の最良の実施例の立体図である。
【図２】本考案の最良の実施例の別の側面の立体図である。
【図３】本考案の最良の実施例の底部立体図である。
【図４】本考案の最良の実施例の実施を示す立体外観図１である。
【図５】本考案の最良の実施例の実施を示す立体外観図２である。
【図６】本考案の最良の実施例の実施を示す立体外観図３である。
【図７】本考案の最良の実施例の実施を示す立体外観図４である。
【図８】本考案の最良の実施例の実施を示す立体外観図５である。
【図９】本考案の最良の実施例の実施を示す立体外観図６である。
【考案を実施するための形態】
【０００８】
図１から図３に示す本考案の最良の実施例の立体図及び別の側面の立体図、底部立体図を参照する。これらの図からはっきりと分かるように、瓶容器１は瓶体２と、少なくとも１つの横方向ほぞ２７及び少なくとも１つの凸部２８を含み、そのうち、該瓶体２の上方の位置に瓶口２１が形成され、下方の位置に収容槽２２が形成され、該収容槽２２は別の瓶体２の瓶口２１を収容することができる。また該瓶体２の側辺の位置に第１側面２３と第２側面２４及び第３側面２５と第４側面２６がそれぞれ形成され、そのうち該第１側面２３と該第３側面２５の両側辺が該第２側面２４と第４側面２６にそれぞれ延伸して連接され、該第３側面２５が該瓶体２の該第１側面２３に相対する別の一側面に形成され、該第４側面２６が該瓶体２の該第２側面２４に相対する別の一側面に形成される。そのうち、該第１側面２３と該第３側面２５上に該横方向ほぞ２７が形成され、かつ本実施例において、該第１側面２３と該第３側面２５上に複数の該横方向ほぞ２７が形成される。また該第１側面２３と該第３側面２５上には複数の横方向溝２７１が形成され、そのうち該横方向ほぞ２７があり接ぎであり、該横方向溝２７１があり溝である。また該横方向溝２７１が該横方向ほぞ２７の側辺に形成され、該第１側面２３に瓶口２１位置から下へ順に該横方向溝２７１と横方向ほぞ２７がそれぞれ形成される。該第３側面２５の横方向ほぞ２７が相対する該第１側面２３の水平の相等位置が横方向溝２７１であり、また該第３側面２５の横方向溝２７１が相対する該第１側面２３の水平の相等位置が横方向ほぞ２７である。即ち、該第３側面２５に瓶口２１位置から下へ順に該横方向ほぞ２７と横方向溝２７１がそれぞれ形成される。また本実施例において、該第２側面２４と該第４側面２６上に複数の該凸部２８が形成され、かつ該第２側面２４と該第４側面２６上にさらに複数の凹部２８１が形成される。該凹部２８１が該凸部２８の両側辺に形成され、該凸部２８と該凹部２８１が互い違いに設置される。該第４側面２６の凸部２８が相対する該第２側面２４の水平の相等位置が凹部２８１であり、第４側面２６の凹部２８１が相対する該第２側面２４の水平の相等位置が凸部２８である。また該第２側面２４及び該第４側面２６上に凹溝２８２がそれぞれ形成され、該凹溝２８２が中心位置の凸部２８及び凹部２８１の間に形成される。
【０００９】
前述の図と図４から図９に示す本考案の最良の実施例の実施を示す立体外観図１から６を参照する。そのうち、該瓶容器１の使用時、該瓶容器１は複数個の瓶容器１と相互に連結させることができ、そのうち、該瓶体２は該第１側面２３で別の瓶体２の第３側面２５と相互に連結させることができ、該別の瓶体２の第３側面２５の横方向ほぞ２７と横方向溝２７１を該瓶体２の第１側面２３の横方向溝２７１と横方向ほぞ２７の方向に組込み、該別の瓶体２を該瓶体２の側辺に完全に貼付させることができる。また該瓶体２は該第２側面２４でさらに別の瓶体２の第４側面２６と相互に連結させることができ、該さらに別の瓶体２の第４側面２６の凸部２８と凹部２８１を該瓶体２の第２側面２４の凹部２８１と凸部２８の方向に組込み、該さらに別の瓶体２を該瓶体２の側辺に完全に貼付させることができる。また、該瓶体２間の別の相互連結方法として、該瓶体２は該瓶口２１を通じて別の瓶体２の収容槽２２と相互に垂直に連結させることができる。または該瓶体２間を複数水平または垂直に連結させた後、単一の瓶体２を左右の瓶体２または上下の瓶体２間に連結することができる。そのうち、左右の瓶体２の連結方法は２つあり、１つは瓶体２の第３側面２５の横方向ほぞ２７と横方向溝２７１を該左右の瓶体２の第１側面２３の横方向溝２７１と横方向ほぞ２７の方向に組み込み、該瓶体２を左の瓶体２と右の瓶体２の間に位置決めすることができる。もう１つの連結方法は、瓶体２の第４側面２６の凸部２８と凹部２８１を該左右の瓶体２の第２側面２４の凹部２８１と凸部２８にそれぞれ組み込む。その凹溝２８２が左右の瓶体２間の空隙に対応し、該瓶体２を左の瓶体２と右の瓶体２の間に位置決めすることができ、かつ該瓶体２を通じて左の瓶体２と右の瓶体２を効果的に位置決めすることができる。またそのうち、上下の瓶体２の連結方法は２つあり、１つは瓶体２の第３側面２５の上部の横方向ほぞ２７と横方向溝２７１を該上の瓶体２の第１側面２３の横方向溝２７１と横方向ほぞ２７の方向にそれぞれ組込み、また該瓶体２の第３側面２５の下部の横方向ほぞ２７と横方向溝２７１を該下の瓶体２の第１側面２３の横方向溝２７１と横方向ほぞ２７の方向にそれぞれ組込み、該瓶体２を上の瓶体２と下の瓶体２の間に位置決めすることができる。もう１つの連結方法は、瓶体２の第４側面２６の上部の凸部２８と凹部２８１を該上の瓶体２の第２側面２４の凹部２８１と凸部２８の方向に組込み、また該瓶体２の第４側面２６の下部の凸部２８と凹部２８１を該下の瓶体２の第２側面２４の凹部２８１と凸部２８の方向に組込み、該瓶体２を上の瓶体２と下の瓶体２の間に位置決めすることができ、かつ該瓶体２を通じて左の瓶体２と右の瓶体２を効果的に位置決めすることができる。これにより、該瓶体２は複数の瓶体２間を相互に連結でき、該第１側面２３の横方向ほぞ２７と横方向溝２７１は別の瓶体２の第３側面２５の横方向溝２７１と横方向ほぞ２７に組み込むことができ、第２側面２４の凸部２８と凹部２８１は別の瓶体２の第４側面２６の凹部２８１と凸部２８に組み込むことができ、複数の該瓶容器１間を相互に結合して相隣する瓶容器１を位置決めする効果を達し、かつ瓶容器１の使用用途と付加価値を増加することができる。
【００１０】
以上は本発明の最良の実施例を挙げたものであり、本発明を限定するものではなく、形状や配置形態の変更や、各種の変化、修飾、応用が生じる同等効果の作用など、本発明の構想に基づいた変更が本発明の要旨の範囲を逸脱しない場合、本発明の権利範囲内に含まれる。
【符号の説明】
【００１１】
１        瓶容器
２        瓶体
２１      瓶口
２２      収容槽
２３      第１側面
２４      第２側面
２５      第３側面
２６      第４側面
２７      横方向ほぞ
２７１    横方向溝
２８      凸部
２８１    凹部
２８２    凹溝
【図１】
0003217574.tif 000003
【図２】
0003217574.tif 000004
【図３】
0003217574.tif 000005
【図４】
0003217574.tif 000006
【図５】
0003217574.tif 000007
【図６】
0003217574.tif 000008
【図７】
0003217574.tif 000009
【図８】
0003217574.tif 000010
【図９】
0003217574.tif 000011